(57)【要約】      （修正有）【課題】ロール紙を所定の長さまで繰出し、切断手段によりカットしたシートの巻癖を矯正するシート搬送装置を提供することを課題とする。【解決手段】ロール紙１００の軸１１０には、ブレーキ負荷を加えて、収容部側にロール紙１００を引っ張る規制手段５００と、繰出手段４００は、収容部からロール紙１００を引出す第１ローラ対４１０と、共通経路Ｕに設けられ、第１ローラ対４１０で引出されたシートを共通経路Ｕに導入する第１ローラ対４２０とを有し、支流経路Ｕ１から共通経路Ｕに合流する点から切断手段２００に向かう共通経路Ｕの屈曲点の線分と、切断手段２００が配置された共通経路Ｕの線分との交点の近傍に、シートを切断手段２００側にガイドするガイドローラ対６００を設け、シートの巻癖を矯正する。【選択図】図１
2007210732.tif 000002
【特許請求の範囲】
【請求項１】
略Ｕ字状に形成された共通経路に沿って、収容部に収容されシートをロール状に巻いたロール紙と、前記ロール紙を前記収容部から前記共通経路に搬送させる支流経路と、前記支流経路から移動したロール紙を幅方向にカットしシートを形成する切断手段と、前記ロール紙と対向し且つ略Ｕ字状の内側に配置され、ロール紙に画像を形成する作像部とを備え、
前記支流経路には、前記収容部に収容されたロール紙を前記共通経路に繰り出す繰出手段が設けられ、
前記ロール紙の軸には、ブレーキ負荷を加えて、前記収容部側に前記ロール紙を引っ張る規制手段と、
前記繰出手段は、前記収容部から前記ロール紙を引出す第１ローラ対と、前記共通経路に設けられ、第１ローラ対で引出された前記シートを前記共通経路に導入する第２ローラ対とを有し、
前記支流経路から前記共通経路に合流する点から前記切断手段に向かう前記共通経路の屈曲点との線分と、前記切断手段が配置された前記共通経路の線分との交点の近傍に、前記シートを前記切断手段側にガイドするガイドローラ対を設け、前記シートの巻癖を矯正することを特徴とするシート搬送装置。
【発明の詳細な説明】
【技術分野】
【０００１】
本発明は、シートを搬送するシート搬送装置に関するものであり、特に、ロール紙を所定の長さまで繰出し、切断手段によりカットしたシートの巻癖を矯正するシート搬送装置に関する。
【背景技術】
【０００２】
シートが長尺である場合、例えば、Ａ０サイズやＡ１サイズのカット紙を使用する場合、各サイズのカット紙をセットする場合、装置自体が大型化になる。この対策として、ロール紙を使用し、所定の長さでカットしＡ０やＡ１サイズのカット紙を形成するものがある。
【０００３】
しかし、ロール紙を使用する場合、所定のサイズにカットすると、ロール紙特有の巻癖が残り、カットしたシートの先端および後端にカール（湾曲形状）が生じる。この結果、シートがめくれた状態となり、シートの先端及び後端において画像抜けが生じる。これを防止するために、ロール紙の巻癖を矯正する構成として、特許文献１および２などがある。
【０００４】
【特許文献１】特開平５−１６４７６号公報
【特許文献２】特開平９−２５０３６号公報
【発明の開示】
【発明が解決しようとする課題】
【０００５】
特許文献１の構成は、〔図１〕および〔図４〕に示すように、カセットケースの内部の開口の近傍にロール紙の外周方向に圧接し、このロール紙の円周面と反対方向の曲率を有するカール補正手段を設けたものである。
【０００６】
この構成により、カール補正手段に、本来のロール紙特有の巻癖の矯正と、ロール紙の搬送路としての機能と同時に兼ねることができるものである。
【０００７】
しかし、この構成は、〔図１〕および〔図４〕から明らかなように、ロール紙を消費していくとロール紙の径が減少していき、カール補正手段がロール紙の外周方向に圧接することができなくなり、ロール紙の巻癖の矯正を行うことができなくなる。
【０００８】
次に、特許文献２の構成は、〔図１〕に示すように、ロール紙から搬送ローラで引き出される記録紙に巻方向とは逆方向の屈曲を付与するように設けたカール矯正部材を、定位置に回転自在に設けられた回動軸に支持アームを介して保持させ、且つその回動軸には、カール矯正ローラを記録紙に押し付ける方向のトルクを作用させておき、ロール紙の残量が少なくなって記録紙の繰り出し位置が変化した時には、それに追従してカール矯正部材が移動するものである。
【０００９】
しかし、この構成は、カール矯正ローラを記録紙に押し付けるものであるため、ロール紙と搬送ローラ間に一定の張力を保つためのブレーキ機構を、ロール紙側に設ける必要がある。この結果、特許文献２の構成では、装置が複雑になるとともに、装置の部品点数が多くなり、カール矯正ローラの押圧力を調整するためのメンテナンスや製造コストが高くなるという問題を伴うものである。
【課題を解決するための手段】
【００１０】
上記問題を解決するために、本発明は、略Ｕ字状に形成された共通経路に沿って、収容部に収容されシートをロール状に巻いたロール紙と、ロール紙を収容部から共通経路に搬送させる支流経路と、支流経路から移動したロール紙を幅方向にカットしシートを形成する切断手段と、ロール紙と対向し且つ略Ｕ字状の内側に配置され、ロール紙に画像を形成する作像部とを備え、支流経路には、収容部に収容されたロール紙を共通経路に繰り出す繰出手段が設けられ、ロール紙の軸には、ブレーキ負荷を加えて、収容部側にロール紙を引っ張る規制手段と、繰出手段は、収容部からロール紙を引出す第１ローラ対と、共通経路に設けられ、第１ローラ対で引出されたシートを共通経路に導入する第２ローラ対とを有し、支流経路から共通経路に合流する点から切断手段に向かう共通経路の屈曲点の線分と、切断手段が配置された共通経路の線分との交点の近傍に、シートを切断手段側にガイドするガイドローラ対を設け、前記シートの巻癖を矯正することを特徴とする。
【発明の効果】
【００１１】
上記構成により、本発明によれば、ロール紙を画像形成部側に搬送する径路間において、ロール紙の引出し側から画像形成部側に搬送する径路に二つのローラ対を設け、さらに、ロール紙の軸にブレーキ（トルクリミッタ）を設けて、ロール紙が消費されても、ブレーキの作用により一定の張力をもってロール紙の繰り出しを行うことにより、ロール紙の巻癖を少なくし、画像抜けを防止することができる。
【発明を実施するための最良の形態】
【００１２】
以下、図を用いて、本発明の実施の形態を説明する。図１は、本発明に係わるシート搬送装置の概略を示す。
【００１３】
図１に示すように、このシート搬送装置は、略Ｕ字状に形成された共通経路Ｕと、収容部（図示せず）に収容されシートをロール状に巻いたロール紙１００と、ロール紙１００を幅方向にカットする切断手段２００と、ロール紙１００に画像を形成する作像部３００とからなる。
【００１４】
ロール紙１００と作像部３００は対向して設けられている。特に、ロール紙１００は、搬送経路に沿って複数設けられている。また、ロール紙１００は、外側（矢印方向）に引出せるように配置することにより、補充作業が簡単にできる。なお、この実施の形態において、ロール紙１００は共通経路Ｕに複数配置されているが１つだけでもよい。
【００１５】
さらに、収容部（図示せず）には、ロール紙１００の軸１１０にブレーキ負荷を加えて、ロール紙１００に一定の張力を作用させる規制手段５００が設けられている。具体的に規制手段５００は、トルクリミッタである。この規制手段５００の張力は、ロール紙１００を引き出す力（繰出手段４００の回転負荷とガイドローラ対６００の回転負荷との和）と拮抗するように作用する構成となっている。
【００１６】
作像部３００は、略Ｕ字状の内側に配置されている。この配置により、作像部３００の設置面積を節約することが可能となり、装置を小型化することができる。作像部３００は、シートに画像を形成するものであり、具体的には、電子写真方式、インクジェット方式、熱転写方式がある。
【００１７】
切断手段２００は、ロール紙１００と作像部３００との間、すなわち搬送経路の底部に配置され、ロール紙１００を幅方向にカットして、所望のサイズのカット紙が形成される。
【００１８】
このロール紙１００は、繰出手段４００により、一定量で共通搬送経路に繰り出される。繰出手段４００は、収容部（図示せず）に設けられた第１ローラ対４１０と、共通経路Ｕに設けられた第２ローラ対４２０からなる。第１ローラは収容部（図示せず）からロール紙１００を引出し、第２ローラ対４２０は第１ローラで引出されたロール紙１００を共通経路Ｕに導入するものである。この第１ローラ対４１０と第２ローラ対４２０により、ロール紙１００を共通経路Ｕに搬送する支流経路Ｕ１が形成される。
【００１９】
また、支流経路Ｕ１から共通経路Ｕに合流する点から切断手段２００に向かう共通経路Ｕの屈曲点との線分と、切断手段２００が配置された共通経路Ｕの線分との交点の近傍に、ガイドローラ対６００が設けられている。図に示すように、ガイドローラ対６００は、収容部（図示せず）に収容されたロール紙１００の巻癖と反対方向となるように配置されている。
【００２０】
以上のように、シートを作像部３００に搬送する時には、先ず、図示しない駆動源を作動して、繰出手段４００を回転させて、ロール紙１００の先端を支流経路Ｕ１へ繰り出す。
【００２１】
この時、規制手段５００のブレーキ負荷と繰出手段４００の回転負荷とが拮抗しているため、収容部（図示せず）に収容されたロール紙１００と第１ローラ対４１０間、第１ローラ対４１０と第２ローラ対４２０間で、繰出手段４００を通過したロール紙１００は引っ張られた状態となり、ロール紙１００の巻癖が緩和される。
【００２２】
この後、ロール紙１００の先端がガイドローラ対６００を通過すると、ロール紙１００はロール紙１００の巻癖の方向とは反対方向に屈曲した状態で扱かれ、ロール紙１００の巻癖が強制される。
【００２３】
一方、ロール紙１００が消費されロール紙１００の径が減少してくると、ロール紙１００を引き出す力が小さくなり、ロール紙１００の巻癖が矯正する効果が弱くなる。これは、ロール紙１００の引出し力は、主にロール紙１００の自重に依存し、ロール紙１００が軽くなるとその分だけ、ロール紙１００の張力が小さくなるからである。
【００２４】
このため、規制手段５００（トルクリミッタ）により、ロール紙１００の軸１１０にブレーキ負荷を加えてロール紙１００を収容部（図示せず）側に引っ張る。このブレーキの負荷は、第１ローラ対４１０、第２ローラ対４２０およびガイドローラ対６００で引き出された力と拮抗する。この結果、ロール紙１００の自重が軽くなっても規制手段５００のブレーキ負荷により、ロール紙１００が扱かれた状態となり、ロール紙１００の巻癖を矯正することができる。
【００２５】
さらに、支流経路Ｕ１から共通経路Ｕに移動したロール紙１００は、切断手段２００に搬送される。ガイドローラ対６００は、先に述べたように、ロール紙１００の巻癖と反対方向となるように配置され、所定のタイミングでロール紙１００を切断手段２００でカットしてシートが形成される。
【００２６】
また、切断手段２００のカットにより、形成されたシートの後端も、繰出手段４００、ガイドローラ対６００を通過することにより、ロール紙１００の巻癖が矯正される。この結果、形成されたシートにロール紙１００自体に元々あった巻癖がなくなり、画像抜けをなくすことができる。
【図面の簡単な説明】
【００２７】
【図１】本発明のシート搬送装置の概略を示す図。
【符号の説明】
【００２８】
１００  ロール紙
１１０  軸
２００  切断手段
３００  作像部
４００  繰出手段
４１０  第１ローラ対
４２０  第２ローラ対
５００  規制手段
６００  ガイドローラ対
Ｕ      共通経路
Ｕ１    支流経路
【図１】
2007210732.tif 000003